(57)【要約】【課題】  反射を抑え、微細な凹部からなる意匠を良好に視認することが可能な表示板と、この表示板を用いた計器装置を提供することを目的とする。【解決手段】  光源１６からの光を導光する透明の基材の裏面側に複数の微小凹部が形成された表示板３において、前記基材の表面に反射防止部１０を備え、前記微小凹部は、所定の意匠をなす第一凹パターン部１３と、その背景をなす第二凹パターン部１５からなり、前記第一凹パターン部１３の前記微少凹部１２は５０μｍ以上の間隔Ｐ１を有し、前記第二凹パターン部１３の前記微少凹部１４は２００ｎｍ以下の間隔Ｐ２を有するものである。【選択図】  図２
2010190599.tif 000002
【特許請求の範囲】
【請求項１】
光源からの光を導光する透明の基材の裏面側に複数の微小凹部が形成された表示板において、前記表示板の表面に反射防止部を備え、前記微小凹部は、所定の意匠をなす第一凹パターン部と、その背景をなす第二凹パターン部からなり、前記第一凹パターン部の前記微少凹部の間隔を５０μｍ以上とし、前記第二凹パターン部の前記微少凹部の間隔を２００ｎｍ以下としたことを特徴とする表示板。
【請求項２】
前記第一凹パターン部の前記微少凹部を、円錐形あるいは角錐形としたことを特徴とする請求項１に記載の表示板。
【請求項３】
前記第二凹パターン部の前記微少凹部を、円錐形あるいは紡錘形としたことを特徴とする請求項１または２に記載の表示板。
【請求項４】
前記反射防止部は、その間隔が２００ｎｍ以下の複数の微少凹部としたことを特徴とする請求項１から３のいずれかに記載の表示板。
【請求項５】
請求項１に記載の表示板と、前記表示板に向けて光を照射する光源とを設けたことを特徴とする計器装置。
【発明の詳細な説明】
【技術分野】
【０００１】
本発明は、各種表示装置に組み込まれる表示板と、この表示板を用いた計器装置に関し、特に、微小凹部によって意匠を形成した表示板と、この表示板を用いた計器装置に関する。
【背景技術】
【０００２】
従来の表示板は、光を透過する材料、例えば透明なポリカーボネート樹脂等から形成されており、意匠を形成する微小な凹凸部を裏面に設けていた。また、この表示板に光を入射する光源が、前記表示板の板面に取り付けられていた。前記凹凸部は前記光源からの光を反射して発光して前記意匠が運転者に視認されるものであった（例えば、特許文献１を参照）。
【先行技術文献】
【特許文献】
【０００３】
【特許文献１】特開２００３−３０２２６２号公報（特に、図１２〜図１６参照）
【発明の概要】
【発明が解決しようとする課題】
【０００４】
しかしながら、従来の表示板は、光（例えば、太陽光などの外光）が当たると前記表示板の表裏面で反射し、前記意匠が見づらくなるといった問題点があった。特に、前記表示板を車両の計器装置に用いる場合は、外光の影響を受けやすく、また、前記計器装置の場合は、向きを変えて前記外光をさけることができなかった。
【０００５】
そこで、前記表示板の表裏面での反射を抑制するために、二酸化チタンや二酸化ケイ素を蒸着して形成した反射防止層を設けていた。
【０００６】
しかし、前記微少な凹凸部に前記反射防止層を設けると、前記微少な凹凸部が前記反射防止層で埋まってしまい、前記意匠がつぶれて視認されにくくなるといった問題点があった。
【０００７】
そこで本発明は、反射を抑え、微細な凹部からなる意匠を良好に視認することが可能な表示板と、この表示板を用いた計器装置を提供することを目的とするものである。
【課題を解決するための手段】
【０００８】
本発明は、光源からの光を導光する透明の基材の裏面側に複数の微小凹部が形成された表示板において、前記表示板の表面に反射防止部を備え、前記微小凹部は、所定の意匠をなす第一凹パターン部と、その背景をなす第二凹パターン部からなり、前記第一凹パターン部の前記微少凹部の間隔を５０μｍ以上とし、前記第二凹パターン部の前記微少凹部の間隔を２００ｎｍ以下としたものである。
【０００９】
また、本発明は、前記第一凹パターン部の前記微少凹部を、円錐形あるいは角錐形としたものである。
【００１０】
また、本発明は、前記第二凹パターン部の前記微少凹部を、円錐形あるいは紡錘形としたものである。
【００１１】
また、本発明は、前記反射防止部は、その間隔が２００ｎｍ以下の複数の微少凹部としたものである。
【００１２】
また、本発明は、前記表示板と、前記表示板に向けて光を照射する光源とを設けたものである。
【発明の効果】
【００１３】
本発明によれば、所期の目的を達成でき、反射を抑え、微細な凹部からなる意匠を良好に視認することが可能な表示板と、この表示板を用いた計器装置を提供することができる。
【図面の簡単な説明】
【００１４】
【図１】本発明の第１実施形態の表示板を用いた計器装置の正面図。
【図２】図１中Ａ−Ａ線の断面図。
【図３】同実施形態の要部拡大断面図。
【図４】同実施形態の要部拡大断面図。
【発明を実施するための形態】
【００１５】
本発明の表示板を車両用の計器装置に適用した場合を例にとって説明する。この計器装置１は、指針２と、表示板３と、基板４と、計器本体５と、ハウジング６と、フード７及びカバー８で、主に構成されている。
【００１６】
指針２は、計器本体５と指針軸９を介して接続されている。指針２は、指針軸９を中心とし計器本体５によって回転運動するものである。指針２は、表示板３に設けた後述する目盛などを指示し、運転者に計測値を指示するものである。
【００１７】
表示板３は、基材が、アクリルやポリカーボネート等の透明樹脂製である。この表示板３は、表裏面が平坦な平板形状である。この表示板３の表面には反射防止部１０を備えている。この反射防止部１０は、二酸化チタンや二酸化ケイ素を交互に蒸着した薄膜からなり、光の干渉を利用して表面の反射を抑えるものである。
【００１８】
また、表示板３は、意匠１１を備えている。本実施形態では、意匠１１は、目盛と文字のみであり、車両の速度計器を表している。この意匠１１は、表示板３の裏面に複数の微少凹部１２からなる第一凹パターン部１３で形成されている。微少凹部１２は、円錐形に凹んだ凹部である。微少凹部１２は、開口が１００μｍで、凹みの深さが１００μｍである。そして、たとえば、前記開口での微少凹部１２同士の間隔Ｐ１が、１００μｍ程度が好適である。この微少凹部１２は、金型に円錐形の微細加工を施し、それを転写することで形成される。
【００１９】
また、表示板３は、その裏面の意匠１１を除く背景部分に、複数の微少凹部１４からなる第二凹パターン部１５が形成されている。微少凹部１４は、円錐形に凹んだ凹部である。微少凹部１４は、開口が１００ｎｍで、凹みの深さが１００ｎｍである。そして、たとえば、前記開口での微少凹部１４同士の間隔Ｐ２が、１００ｎｍ程度と極めて微細な形状である。この微少凹部１４は、フォトリソ工程によりマスター型に形成した微細パターンを金型に転写し、さらに樹脂へ転写することで作成される。第二パターン部１５を形成する微細凹部１４同士の間隔Ｐ２は、可視光の波長よりも小さな間隔であり、表面の屈折率変化を緩やかにするため反射防止効果を有すると同時に肉眼では透明に見える。
【００２０】
表示板３の端面３ａには、表示板３を照明する光源１６が設けられている。この光源１６は、発光ダイオードである。この光源１６の光が、表示板３の端面３ａから表示板３内に入る。表示板３内に入った光が、意匠１１を構成する第一パターン部１３の微少凹部１４にて反射して意匠１１が明るく発光し、前記運転者が意匠１１を視認することができる。また、光源１６からの光が表示板３に入らないと、意匠１１は、光源１６によって照明されず、背景と区別しにくくなる。
【００２１】
基板４は、絶縁性の基材であるガラスエポキシ樹脂に、図示しない配線パターンや電子部品等を備えたものである。
【００２２】
計器本体５は、ステッピングモータなどの電動機であり、計測値に基づいて指針２を回転運動させるものである。
【００２３】
ハウジング６は、合成樹脂からなり、フード７やカバー８とともに指針２、表示板３、基板４及び計器本体５を収納するものである。
【００２４】
フード７は、合成樹脂からなり、表示板３の前面側を覆うものである。フード７は、筒状であり、図２中右側で、ハウジング６に固定されており、同図中左側でカバー８に固定されている。
【００２５】
カバー８は、光を透過可能な合成樹脂からなり、フード７に固定されている。カバー８を通して、指針２や表示板３を視認する。
【００２６】
また、１７は、不透光性の合成樹脂からなる化粧部材であり、表示板３背後の模様などを施したものである。また、この化粧部材１７は、化粧部材１７の背後に設けた基板４などを隠すものである。
【００２７】
本実施形態では、微少凹部１２同士の間隔Ｐ１は、１００μｍ程度であったが、本実施形態に限定されるものではなく、５０μｍ以上であれば良い。微少凹部１２の形状については、本実施形態では、円錐形であったが、本実施形態に限定されるものではなく、例えば、三角錐や四角錐などの角錐であっても良い。
【００２８】
また、微少凹部１４同士の間隔Ｐ２についても、本実施形態では、１００ｎｍ程度であったが、本実施形態に限定されるものでなく、２００ｎｍ以下であれば良い。微少凹部１４の形状については、本実施形態では、円錐形であったが、本実施形態に限定されるものではなく、例えば、紡錘形などであっても良い。
【００２９】
以上の構成により、表示板３の表面に設けた反射防止部１０によって、表示板３の表面の反射が抑えられ、また、表示板３の裏面の背景部分の設けた第二パターン部１５で、表示板３の裏面の反射が抑えられ、外光の当たる環境下でも視認性の低下を防ぐことができる。
【００３０】
また、従来の二酸化チタンや二酸化ケイ素を交互に蒸着して形成した反射防止層を設けないので、意匠１１が前記反射防止層でつぶれることがなく、充分な視認性を確保することができるとともに、前記反射防止層を設けるコストを削減することができる。
【００３１】
また、本実施形態では、表示板３の表面に設けた反射防止部１０を二酸化チタンや二酸化ケイ素を交互に蒸着した薄膜から形成していたが、本実施形態に限定されるものではなく、間隔が２００ｎｍ以下の複数の微少凹部としてもよい。このように構成したことによって、二酸化チタンや二酸化ケイ素を交互に蒸着して形成した反射防止部１０を設けないので、コストを削減することができる。
【産業上の利用可能性】
【００３２】
本発明は、各種表示装置に組み込まれる表示板や、この表示板を用いた計器装置に利用することができる。
【符号の説明】
【００３３】
１      計器装置
３      表示板
１０      反射防止部
１１      意匠
１２      微少凹部
１３      第一パターン部
１４      微少凹部
１５      第二パターン部
１６      光源
【図１】
2010190599.tif 000003
【図２】
2010190599.tif 000004
【図３】
2010190599.tif 000005
【図４】
2010190599.tif 000006